(57)【特許請求の範囲】
【請求項１】
管理対象となる資産が収容されている資産管理領域内に予め設定された複数の管理区域に各々設けられ、管理区域を示す管理区域情報を各々記憶する複数の場所データキャリア装置と、
各々の資産に設けられ、資産を特定するための資産固有情報、及び資産の設置場所を特定の管理区域として示す資産場所情報を各々記憶する複数の資産データキャリア装置と、
前記資産固有情報及び資産場所情報が各資産毎に登録されると共に無線通信機能を備えた資産データベース装置と、
操作指示を入力するための操作ボタンを備え、当該操作ボタンからの入力に基づいて前記場所データキャリア装置及び資産データキャリア装置から各種記憶情報を非接触状態で読み込んで表示すると共に前記資産データベース装置から無線通信を介して登録情報を取得して表示する携帯情報通信端末とを具備し、
携帯情報通信端末は、場所データキャリア装置から管理区域情報を読み込むと、当該管理区域情報に合致する資産の資産固有情報を資産データベース装置から取得して表示し、この状態において前記資産固有情報に合致する資産の資産固有情報を資産データキャリア装置から読み込むと、資産固有情報が合致したことを表示することを特徴とする資産管理システム。
【請求項２】
携帯情報通信端末は、資産データベース装置から取得した資産と合致する資産の資産固有情報を資産データキャリア装置から読み込んだ場合と、資産データベース装置から取得した資産と合致する資産の資産固有情報を資産データキャリア装置から読み込まない場合と、資産データベース装置から取得しなかった資産について資産データキャリア装置から資産固有情報を読み込んだ場合とに分けて、資産固有情報が合致したことを表示する
ことを特徴とする請求項１記載の資産管理システム。
【請求項３】
携帯情報通信端末は、資産データキャリア装置及び資産データベース装置への資産場所情報の書き込み機能をも備え、場所データキャリア装置から管理区域情報を読み込んだ後に資産データキャリア装置から資産固有情報を読み込んだ状態で書込を指示する操作ボタンが操作されると、管理区域情報が示している管理区域を資産場所情報として資産データキャリア装置及び資産データベース装置に書き込むことを特徴とする請求項１または２記載の資産管理システム。
【請求項４】
場所データキャリア装置は管理区域の固定構造物に貼付される場所ＩＣタグであり、資産データキャリア装置は資産に貼付される資産ＩＣタグであることを特徴とする請求項１〜３いずれかに記載の資産管理システム。
【請求項５】
資産が金属から構成される場合、資産ＩＣタグはメタル対応のＩＣタグであることを特徴とする請求項４記載の資産管理システム。
【発明の詳細な説明】
【技術分野】
【０００１】
本発明は、資産管理システムに関する。
【背景技術】
【０００２】
通常、資産管理では管理項目の１つとして資産の設置場所が管理される。そして、このような資産の設置場所の管理は、資産の管理番号が記載されると共に資産に貼付されたプレートと資産の管理番号毎に設置場所が登録された紙の管理台帳やデータベースに依るものである。資産を新規に導入したり設置場所を移動する場合は、管理台帳やデータベースに管理番号に対応する設置場所を新規記入あるいは修正することによって管理台帳やデータベース上で資産の設置場所を把握できるようにしている。また、資産の棚卸をする場合には、作業者が棚卸台帳を携帯して資産の設置場所に出向き、プレートに記載された管理番号を目視確認し、管理台帳やデータベースに登録された設置場所と比較照合することによって各設置場所毎の資産状況を管理している。
【０００３】
なお、資産管理ではなく物流倉庫における商品管理技術ではあるが、例えば特開２００１−２２５９１５号公報には、従来のバーコードに代えてＩＣカードやＩＣタグを用いて商品と物流倉庫における商品の収容場所とを関連付けて管理する商品管理システムが開示されている。
【特許文献１】特開２００１−２２５９１５号公報
【発明の開示】
【発明が解決しようとする課題】
【０００４】
ところで、従来の資産管理は、作業者によるプレートの目視確認に頼るものであり、管理番号の読み間違いによる資産管理ミスが発生し易く、また作業効率も悪い。例えば資産の棚卸時には、紙の資産台帳の登録番号とプレートの登録番号とを目視で順次確認して複数の資産の棚卸を順次行うので、ミスが発生し易いばかりではなく作業効率が極めて悪い。
【０００５】
本発明は、上述した事情に鑑みてなされたものであり、資産管理の確実性と管理効率の向上を目的とするものである。
【課題を解決するための手段】
【０００６】
上記目的を達成するために、本発明では、管理対象となる資産が収容されている資産管理領域内に予め設定された複数の管理区域に各々設けられ、管理区域を示す管理区域情報を各々記憶する複数の場所データキャリア装置と、各々の資産に設けられ、資産を特定するための資産固有情報、及び資産の設置場所を特定の管理区域として示す資産場所情報を各々記憶する複数の資産データキャリア装置と、資産固有情報及び資産場所情報が各資産毎に登録されると共に無線通信機能を備えた資産データベース装置と、操作指示を入力するための操作ボタンを備え、当該操作ボタンからの入力に基づいて場所データキャリア装置及び資産データキャリア装置から各種記憶情報を非接触状態で読み込んで表示すると共に資産データベース装置から無線通信を介して登録情報を取得して表示する携帯情報通信端末とを具備する、という解決手段を採用する。
【発明の効果】
【０００７】
このような本発明によれば、作業者が携帯可能な携帯情報通信端末に場所データキャリア装置及び資産データキャリア装置から非接触で各種記憶情報を取り込むと共に、無線通信を介することにより携帯情報通信端末に資産データベース装置から登録情報を取り込み、これら各種記憶情報及び登録情報を表示することができるので、作業者の目視に頼った従来の資産管理に比較して資産管理の確実性及び管理効率を飛躍的に向上させることができる。
【発明を実施するための最良の形態】
【０００８】
以下、図面を参照して、本発明の一実施形態について説明する。
図1は、本実施形態に係る資産管理システムのシステム構成図である。この図において、符号1は場所ＩＣタグ（場所データキャリア装置）、２Ａ，２Ｂは資産ＩＣタグ（資産データキャリア装置）、３は携帯端末（携帯情報通信端末）、４は資産データベース装置、５は管理端末、またＡ，Ｂは資産である。
【０００９】
場所ＩＣタグ１は、資産管理領域内に予め設定された複数の管理区域に各々設けられるものであり、自らが設けられた管理区域を管理区域情報としてＩＣチップ内に記憶している。このような場所ＩＣタグ１は、電波を介することにより非接触で自らの記憶情報を外部に送信する。
【００１０】
ここで、上記資産管理領域は、例えば工場や事務所等の資産管理すべき領域であり、このような資産管理領域には資産管理上の管理区域が予め複数区分設定されている。各管理区域にはエリアコードが個別設定されており、場所ＩＣタグ１は、具体的には当該エリアコードを管理区域情報として記憶している。また、この場所ＩＣタグ１は、このような管理区域情報の他に、自らのタグ種別を示すタグ識別子（つまり場所ＩＣタグであることを示す場所タグ識別子）及び発行日等をも記憶している。
【００１１】
図２は、上記管理区域の一例、つまり資産管理領域である工場内建物の１フロアに複数設定された管理区域を示している。比較的大きな面積を有する工場の１フロアには、複数の管理区域Ｅ1，Ｅ2，Ｅ3，……が碁盤の目のように設定されている。すなわち、図１では１つの管理区域の柱に貼付された１つの場所ＩＣタグ１を示しているが、場所ＩＣタグ１は、例えば図２に示すような管理区域Ｅ1，Ｅ2，Ｅ3，……毎に、各管理区域Ｅ1，Ｅ2，Ｅ3，……の柱などの固定構造物に各々貼付されている。
【００１２】
資産ＩＣタグ２Ａ，２Ｂは、各管理区域において管理対象となる資産Ａ，Ｂに各々貼付されており、自らが貼付された資産Ａ，Ｂを特定するための資産固有情報、及び資産Ａ，Ｂの設置場所を特定の管理区域として示す資産場所情報をＩＣチップ内に記憶している。このような資産ＩＣタグ２Ａ，２Ｂは、電波を介することにより非接触で自らの記憶情報を外部に送信すると共に、外部から受信される電波による書き込み指示に基づいて新たな情報を記憶したり、記憶情報を更新記憶する。なお、資産Ａ，Ｂが鉄などの金属で構成されている場合には、資産ＩＣタグ２Ａ，２Ｂとして、金属の表面に貼付されても外部との無線通信が十分に可能なメタル対応のＩＣタグが使用される。
【００１３】
上記資産場所情報は、具体的には資産Ａ，Ｂが設置されている管理区域のエリアコードであり、また資産固有情報は、例えば資産Ａ，Ｂの資産番号である。なお、資産ＩＣタグ２Ａ，２Ｂは、自らのタグ種別を示すタグ識別子（つまり資産ＩＣタグであることを示す資産タグ識別子）、資産データベース装置４内の資産管理テーブルで、資産を固有に識別するＫＥＥＰ番号、棚卸作業を識別する棚卸ＩＤ及び発行日等をもＩＣチップ内に記憶している。図１に示した資産Ａ，Ｂは、例えば図２の管理区域Ｅ1に設置されたものである。
【００１４】
携帯端末３は、操作指示を入力するための操作ボタン３ａと各種情報を画像表示するための液晶表示部３ｂを備えており、当該操作ボタン３ａからの入力に基づいて上記場所ＩＣタグ１や資産ＩＣタグ２Ａ，２Ｂから各種記憶情報を電波を介して非接触状態で読み込んで液晶表示部３ｂに表示すると共に、資産データベース装置４から電波を介して登録情報を取得して液晶表示部３ｂに表示する。また、この携帯端末３は、上記場所ＩＣタグ１や資産ＩＣタグ２Ａ，２Ｂへの情報書込機能や資産データベース装置４の登録情報の更新機能をも有する。
【００１５】
ここで、携帯端末３と場所ＩＣタグ１及び資産ＩＣタグ２Ａ，２Ｂとの通信はＩＣタグの通信規格として認定された通信方式で行われ、一方、携帯端末３と資産データベース装置４との通信は、無線ＬＡＮ（Local Area Network）として認定された通信方式で行われる。携帯端末３は、例えばＩＣタグとの通信機能及び無線ＬＡＮ機能とを併せ持ったＰＤＡ（Personal Digital Assistance）である。
【００１６】
資産データベース装置４は、資産固有情報及び資産場所情報並びに関連情報が登録された資産管理テーブルを資産毎に記憶すると共に、資産管理領域内に複数設けられた無線ＬＡＮアクセスポイントの何れかを通じて上記携帯端末３との無線通信機能をも備えている。管理端末５は、資産データベース装置４への資産固有情報及び関連情報等の登録や修正、あるいは資産データベース装置４の登録内容の閲覧をするためのコンピュータであり、ＬＡＮを介して資産データベース装置４と接続されている。なお、上記資産管理テーブルのデータ項目は、例えば以下のものである。
【００１７】
ａ．ＫＥＥＰ番号
ｂ．資産番号
ｃ．資産名称
ｄ．資産種別コード
ｅ．エリアコード
ｆ．管理部門番号
ｇ．取得年月
ｈ．取得価格
ｉ．耐用年数
ｊ．登録者
ｋ．登録日
ｌ．最終更新者
ｍ．最終更新日
【００１８】
次に、このように構成された資産管理システムを用いた資産管理方法について、上記図１の場合を例として詳しく説明する。
最初に、場所ＩＣタグ１は、管理区域Ｅ1を示すエリアコード（管理区域情報）、場所タグ識別子及び発行日が専用書込機によって予め記憶され、管理区域Ｅ1の柱に貼付されている。一方、資産ＩＣタグ２Ａ，２Ｂは、資産Ａ，Ｂの資産番号（資産固有情報）、資産場所情報、資産タグ識別子、ＫＥＥＰ番号及び発行日等が同じく専用書込機によって予め記憶され、資産Ａ，Ｂに各々貼付されている。
【００１９】
〔設置場所の変更〕
例えば資産Ａが他の管理区域（例えば管理区域Ｅ6）から管理区域Ｅ1に移設された場合、資産Ａの資産ＩＣタグ２Ａには、資産場所情報として管理区域Ｅ6を示すエリアコードが記憶されているので、このエリアコードを新たな設置場所である管理区域Ｅ1のエリアコードに変更する必要がある。
【００２０】
このような設置場所の変更が必要な場合、作業者は、携帯端末３のタッチボタン「設置場所変更」を操作することにより液晶表示部３ｂに設置場所変更画面を表示させる。携帯端末３は、この設置場所変更画面において場所ＩＣタグ１をかざすことによって当該場所ＩＣタグ１つまり管理区域Ｅ1のエリアコードを取り込み、当該エリアコードに対応する設置場所を液晶表示部３ｂに表示させる。すなわち、上記設置場所変更画面の「エリア」には、管理区域Ｅ1が「加工工場」という建物の「１階」にある「第１加工部」であることが表示される。
【００２１】
そして、携帯端末３は、タッチボタン「読込開始」が操作されると、資産ＩＣタグ２Ａの記憶情報を読み込める状態になる。この状態で、携帯端末３を資産ＩＣタグ２Ａにかざすと、オンラインの場合（無線ＬＡＮが通信可能状態の場合）は自動的に資産ＩＣタグ２Ａ及び資産データベース装置４の場所情報が更新される。すなわち、オンラインの場合にはリアルタイム処理なので、資産ＩＣタグ２Ａの記憶情報を携帯端末３に読み込み終えた時点で処理が完了し、連続的に次々と資産ＩＣタグの記憶情報を読み込むことによって複数の資産ＩＣタグの場所変更処理をスムーズに行うことができる。
【００２２】
すなわち、携帯端末３は、場所ＩＣタグ１に記憶された管理区域Ｅ1のエリアコードに引き続いて資産ＩＣタグ２Ａの記憶情報を読み取ると、当該資産ＩＣタグ２Ａの資産場所情報を場所ＩＣタグ１の管理区域情報に更新すると共に、資産データベース装置４において資産Ａに対応する資産管理テーブルの設置場所を場所ＩＣタグ１の管理区域情報に変更する。なお、このような資産ＩＣタグ２Ａへの設置場所の変更は、新規な資産Ａを管理区域Ｅ1に導入する場合にも行われるものである。
【００２３】
ここで、携帯端末３は、オフラインの場合（無線ＬＡＮが通信不能状態の場合）には、資産Ａの新たな設置場所、つまり管理区域Ｅ1のエリアコードを内部に一旦記憶・保持する。そして、資産データベース装置４との交信が復旧した段階で、設置場所変更画面のタッチボタン「登録」が操作されると、携帯端末３は、無線ＬＡＮを介した交信により、資産Ａに対応する資産管理テーブルの設置場所を管理区域Ｅ1のエリアコードに更新させる。すなわち、設置場所の変更処理については、携帯端末３が資産データベース装置４に対してオフライン状態にあっても行うことができる。
【００２４】
〔棚卸作業〕
次に、資産の棚卸作業について説明する。
作業者は、携帯端末３の液晶表示部３ｂに表示されたタッチボタン「エリア棚卸し」を操作することにより、図４に示すようなエリア棚卸し画面を液晶表示部３ｂに表示させる。携帯端末３は、場所ＩＣタグ１に記憶された管理区域Ｅ1のエリアコードを読み込むと、当該管理区域Ｅ1のエリアコード、つまり建物名としての「加工工場」、階数としての「１階」及び場所名としての「第１加工部」を棚卸し場所としてエリア棚卸し画面に設定・表示する。なお、この棚卸し場所、つまり建物名、階数及び場所名については、ドロップダウンリストの中から選択することにより設定することができる。
【００２５】
また、携帯端末３は、棚卸ＩＤのドロップダウンリストの中から今回の棚卸しに関する棚卸ＩＤが選択・設定されると、当該棚卸ＩＤを「棚卸し名」としてエリア棚卸し画面に表示させる。そして、この状態においてエリア棚卸し画面のタッチボタン「データを取得」が操作されると、携帯端末３は、無線ＬＡＮを介して資産データベース装置４と交信することにより管理区域Ｅ1のエリアコードに該当する全ての資産の資産管理テーブルを検索し、この検索結果としてＫＥＥＰ番号、資産番号及び資産名称をエリア棚卸し画面に一覧表示する。すなわち、エリア棚卸し画面には、管理区域Ｅ1に設置された資産として、資産Ａ，Ｂを含む複数の資産が表示される。
【００２６】
そして、この状態において、管理区域Ｅ1に設置された全資産の資産ＩＣタグの記憶情報を携帯端末３で順次読み取ることによって、エリア棚卸し画面に一覧表示した各資産の棚卸しが行われる。すなわち、エリア棚卸し画面に一覧表示した各資産のうち、該当する資産ＩＣタグを携帯端末３で読み取ったものには棚卸し結果として「○」が、該当する資産ＩＣタグを読み取らなかったものには棚卸し結果として「×」が、また資産データベース装置４から取得しなかったにも拘わらず資産資産ＩＣタグを読み取ったものには棚卸し結果として「△」がそれぞれ表示される。
【００２７】
例えば、資産Ａの資産固有情報及び関連情報を資産データベース装置４から取得した場合において、資産Ａの資産ＩＣタグ２Ａの資産固有情報を読み込むと、携帯端末３は、資産Ａの棚卸し結果をエリア棚卸し画面に「○」と表示する。このような棚卸し結果は、エリア棚卸し画面内のタッチボタン「結果の保存」が操作されると、携帯端末３から無線ＬＡＮを介して資産データベース装置４に送信され、各資産の棚卸し情報として保存される。
【００２８】
このような本実施形態によれば、作業者の目視確認による従来の設置場所の変更や棚卸し作業に比べて作業者の負荷を大幅に軽減することが可能であると共に作業ミスの発生を大幅に削減することが可能であり、よって資産管理の確実性及び管理効率を飛躍的に向上させることができる。
【００２９】
なお、本発明は上記実施形態に限定されるものではなく、例えば以下のような変形例が考えられる。
（１）上記実施形態では携帯端末３と資産データベース装置４とを無線ＬＡＮを介して接続したが、これは、近年、無線ＬＡＮの普及が著しくコストも低減しているからである。無線ＬＡＮを使用し得ない特殊な事情がある場合には、携帯端末３と資産データベース装置４とを接続する通信方式として無線ＬＡＮ以外の通信方式を用いても良い。
（２）携帯端末３はＰＤＡ（Personal Digital Assistance）に限定されず、他の方式のものであっても良い。
【図面の簡単な説明】
【００３０】
【図１】本発明の一実施形態に係わる資産管理システムの機能構成を示すシステム構成図である。
【図２】本発明の一実施形態における管理区域の一例を示す模式図である。
【図３】本発明の一実施形態において設置場所の変更時における携帯端末３の画面を示す模式図である。
【図４】本発明の一実施形態において資産の棚卸時における携帯端末３の画面を示す模式図である。
【符号の説明】
【００３１】
Ａ，Ｂ…資産、１…場所ＩＣタグ（場所データキャリア装置）、２Ａ，２Ｂ…資産ＩＣタグ（資産データキャリア装置）、３…携帯端末（携帯情報通信端末）、４…資産データベース装置、５…管理端末
【要約】
【課題】  資産管理の確実性と管理効率を向上させる。
【解決手段】  管理対象となる資産が収容されている資産管理領域内に予め設定された複数の管理区域に各々設けられ、管理区域を示す管理区域情報を各々記憶する複数の場所データキャリア装置と、各々の資産に設けられ、資産を特定するための資産固有情報、及び資産の設置場所を特定の管理区域として示す資産場所情報を各々記憶する複数の資産データキャリア装置と、資産固有情報及び資産場所情報が各資産毎に登録されると共に無線通信機能を備えた資産データベース装置と、操作指示を入力するための操作ボタンを備え、当該操作ボタンからの入力に基づいて場所データキャリア装置及び資産データキャリア装置から各種記憶情報を非接触状態で読み込んで表示すると共に資産データベース装置から無線通信を介して登録情報を取得して表示する携帯情報通信端末とを具備する。
【選択図】      図１
【図１】
0003643111.tif 000002
【図２】
0003643111.tif 000003
【図３】
0003643111.tif 000004
【図４】
0003643111.tif 000005